(57)【要約】【課題】拡張ディスプレイ認識データダウンロードのログイン登録授権システムを提供し、そのログイン登録授権機能下でＥＤＩＤダウンロードを行えるようにする。【解決手段】メインシステムユニットとサブシステムユニットを包含し、該メインシステムユニットは複数のＥＤＩＤを保存しており並びにログイン登録を受け付け、該サブシステムユニットはメインシステムユニットと結合され、メインシステムユニットに対してログイン登録した後、サブシステムユニットとメインシステムユニット間のデータ伝送の過程に特定のアルゴリズムでデータを検証又は保密する状況下で、メインシステムユニットの検証授権を獲得し、並びにＥＤＩＤをダウンロードする。【選択図】図１
2008305369.tif 000002
【特許請求の範囲】
【請求項１】
拡張ディスプレイ認識データダウンロードのログイン登録授権システムにおいて、
メインシステムユニットであって、複数のＥＤＩＤを保存しており並びにログイン登録を受け入れる、上記メインシステムユニットと、
サブシステムユニットであって、該メインシステムユニットと結合され、該メインシステムユニットに対してログイン登録した後、該サブシステムユニットと該メインシステムユニット間のデータ伝送の過程に特定のアルゴリズムでデータを検証又は保密する状況下で、該メインシステムユニットの検証授権を獲得し、並びにＥＤＩＤダウンロードを実行する、上記サブシステムユニットと、
を包含したことを特徴とする、拡張ディスプレイ認識データダウンロードのログイン登録授権システム。
【請求項２】
請求項１記載の拡張ディスプレイ認識データダウンロードのログイン登録授権システムにおいて、該サブシステムユニットは少なくとも一つのＥＤＩＤ記録器を包含し、該ＥＤＩＤ記録器は該メインシステムユニットにログイン登録される識別コードであって並びに該メインシステムユニットと該サブシステムユニットにそれぞれ保存される上記識別コードを有し、該識別コードにより該メインシステムユニットによる検証授権を獲得してＥＤＩＤダウンロードを実行できることを特徴とする、拡張ディスプレイ認識データダウンロードのログイン登録授権システム。
【請求項３】
請求項２記載の拡張ディスプレイ認識データダウンロードのログイン登録授権システムにおいて、該識別コードは該メインシステムユニットが乱数演算して生成することを特徴とする、拡張ディスプレイ認識データダウンロードのログイン登録授権システム。
【請求項４】
請求項２記載の拡張ディスプレイ認識データダウンロードのログイン登録授権システムにおいて、該メインシステムユニットはネットワーク管理サーバーを有し、該ネットワーク管理サーバーはネットワークで少なくとも一つのＥＤＩＤ記録器に接続され、該ネットワーク管理サーバーが該少なくとも一つのＥＤＩＤ記録器より該識別コードを取得し、並びに検証授権を実行することを特徴とする、拡張ディスプレイ認識データダウンロードのログイン登録授権システム。
【請求項５】
請求項４記載の拡張ディスプレイ認識データダウンロードのログイン登録授権システムにおいて、上述のネットワークはインターネット、及び少なくとも一つのＥＤＩＤ管理サーバーを包含し、該少なくとも一つのＥＤＩＤ管理サーバーはＥＤＩＤを具え、且つＥＤＩＤアップロード／ダウンロードプログラムにより該少なくとも一つのＥＤＩＤ記録器より識別コードを取得してインターネットを通してネットワーク管理サーバーにアップロードできることを特徴とする、拡張ディスプレイ認識データダウンロードのログイン登録授権システム。
【請求項６】
請求項１記載の拡張ディスプレイ認識データダウンロードのログイン登録授権システムにおいて、上述の特定のアルゴリズムがメッセージダイジェストアルゴリズムを包含することを特徴とする、拡張ディスプレイ認識データダウンロードのログイン登録授権システム。
【請求項７】
請求項４記載の拡張ディスプレイ認識データダウンロードのログイン登録授権システムにおいて、該ネットワーク管理サーバーは更に第１機密データを具備することを特徴とする、拡張ディスプレイ認識データダウンロードのログイン登録授権システム。
【請求項８】
請求項７記載の拡張ディスプレイ認識データダウンロードのログイン登録授権システムにおいて、該少なくとも一つのＥＤＩＤ記録器がネットワーク管理サーバーによる授権獲得後、該ネットワーク管理サーバーは識別コードと第１機密データをメッセージダイジェストアルゴリズムで演算して得られた第１メッセージダイジェストアルゴリズム結果を少なくとも一つのＥＤＩＤ管理サーバーに送ることを特徴とする、拡張ディスプレイ認識データダウンロードのログイン登録授権システム。
【請求項９】
請求項１記載の拡張ディスプレイ認識データダウンロードのログイン登録授権システムにおいて、該特定のアルゴリズムが更に暗号化アルゴリズム、及び復号化アルゴリズムを包含することを特徴とする、拡張ディスプレイ認識データダウンロードのログイン登録授権システム。
【請求項１０】
請求項９記載の拡張ディスプレイ認識データダウンロードのログイン登録授権システムにおいて、該少なくとも一つのＥＤＩＤ管理サーバーと該少なくとも一つのＥＤＩＤ記録器がそれぞれ第１機密データを具備したことを特徴とする、拡張ディスプレイ認識データダウンロードのログイン登録授権システム。
【請求項１１】
請求項１０記載の拡張ディスプレイ認識データダウンロードのログイン登録授権システムにおいて、該少なくとも一つのＥＤＩＤ管理サーバーはＥＤＩＤと第２機密データを暗号化アルゴリズムで演算して得られるＥＤＩＤ暗号化結果を第１メッセージダイジェストアルゴリズム結果と共に少なくとも一つのＥＤＩＤ記録器に送り、ＥＤＩＤダウンロードを実行することを特徴とする、拡張ディスプレイ認識データダウンロードのログイン登録授権システム。
【請求項１２】
請求項１１記載の拡張ディスプレイ認識データダウンロードのログイン登録授権システムにおいて、該少なくとも一つのＥＤＩＤ記録器はまずＥＤＩＤ暗号化結果と第２機密データを、ＥＤＩＤ復号化アルゴリズムで復号し、これにより順調に記録作業が行えるようにすることを特徴とする、拡張ディスプレイ認識データダウンロードのログイン登録授権システム。
【請求項１３】
請求項１２記載の拡張ディスプレイ認識データダウンロードのログイン登録授権システムにおいて、該少なくとも一つのＥＤＩＤ記録器が記録作業を実行した後、計数データを生成し、それは記録作業の累計実行回数を表示することを特徴とする、拡張ディスプレイ認識データダウンロードのログイン登録授権システム。
【請求項１４】
請求項１３記載の拡張ディスプレイ認識データダウンロードのログイン登録授権システムにおいて、該少なくとも一つのＥＤＩＤ記録器は計数データと第１メッセージダイジェストアルゴリズム結果をメッセージダイジェストアルゴリズムで演算して第２メッセージダイジェストアルゴリズム結果を得て、該ネットワーク管理サーバーが該少なくとも一つのＥＤＩＤ管理サーバーによりＥＤＩＤアップロード／ダウンロードプログラムにより該少なくとも一つのＥＤＩＤ記録器より該識別コードと共に該第２メッセージダイジェストアルゴリズム結果と該計数データを取得し、並びに次の検証授権と請求料金管理を行うことを特徴とする、拡張ディスプレイ認識データダウンロードのログイン登録授権システム。
【請求項１５】
拡張ディスプレイ認識データダウンロードのログイン登録授権方法において、この方法は、ネットワーク管理サーバー、少なくとも一つのＥＤＩＤ管理サーバー、及び少なくとも一つのＥＤＩＤ記録器を包含するシステムであって該少なくとも一つのＥＤＩＤ管理サーバーがインターネットを通して該ネットワーク管理サーバーに接続された上記システムに適用され、この方法は、
（Ａ）ＥＤＩＤ管理サーバーがＥＤＩＤ記録器より識別コードを取得し、並びにインターネットを通して該ネットワーク管理サーバーに伝送して検証授権を行うステップ、
（Ｂ）該ＥＤＩＤ記録器が該ネットワーク管理サーバーによる授権を獲得した後、該ネットワーク管理サーバーは該識別コードを第１機密データとメッセージダイジェストアルゴリズムにより演算して得られた第１メッセージダイジェストアルゴリズム結果を該ＥＤＩＤ管理サーバーに送るステップ、
（Ｃ）該ＥＤＩＤ管理サーバーがＥＤＩＤと第２機密データを暗号化アルゴリズムで演算して得られたＥＤＩＤ暗号化結果を該第１メッセージダイジェストアルゴリズム結果と共に該ＥＤＩＤ記録器に送り、ＥＤＩＤのダウンロードを実行するステップ、
（Ｄ）該ＥＤＩＤ記録器がＥＤＩＤ暗号化結果を第２機密データと共に復号化アルゴリズムで演算して得られたＥＤＩＤ復号化結果により、ディスプレイに対して記録作業を行うステップ、
を包含することを特徴とする、拡張ディスプレイ認識データダウンロードのログイン登録授権方法。
【請求項１６】
請求項１５記載の拡張ディスプレイ認識データダウンロードのログイン登録授権方法において、更に、
（Ｅ）該ＥＤＩＤ記録器が記録作業実行後に、記録作業累計実行回数を表示する計数データを生成するステップ、
（Ｆ）該ネットワーク管理サーバーがＥＤＩＤ管理サーバーによりＥＤＩＤ記録器より識別コードと共に第２メッセージダイジェストアルゴリズム結果と計数データを取得し、次の検証授権と請求料金管理を行い、そのうち、上述の第２メッセージダイジェストアルゴリズム結果は該ＥＤＩＤ記録器が計数データと第１メッセージダイジェストアルゴリズム結果をメッセージダイジェストアルゴリズムで演算して得られるものとするステップ、  を包含することを特徴とする、拡張ディスプレイ認識データダウンロードのログイン登録授権方法。
【請求項１７】
請求項１６記載の拡張ディスプレイ認識データダウンロードのログイン登録授権方法において、更に、
（Ｇ）ネットワーク管理サーバーが新規クライアントの通知を受け取り、新規クライアントを台帳システムに登録し、並びにクライアントに通知メールを発送すると共にダウンロードソフトを提供するステップ、
を包含したことを特徴とする、拡張ディスプレイ認識データダウンロードのログイン登録授権方法。
【請求項１８】
請求項１６記載の拡張ディスプレイ認識データダウンロードのログイン登録授権方法において、更に、
（Ｈ）ネットワーク管理サーバーがクライアントの料金支払いの通知を受け取り、台帳システム中のこのクライアントの使用可能点数を増加するステップ、
を包含したことを特徴とする、拡張ディスプレイ認識データダウンロードのログイン登録授権方法。
【請求項１９】
請求項１６記載の拡張ディスプレイ認識データダウンロードのログイン登録授権方法において、更に、
（Ｉ）ネットワーク管理サーバーがクライアントがＥＤＩＤ記録器を使用してディスプレイに対してＥＤＩＤを記録した後の状況レポートを受け取り、並びに台帳システム中のクライアントの点数を調整し、台帳システム中の点数が零になった時、使用停止情報コードをＥＤＩＤ記録器に与え、このＥＤＩＤ記録器の使用を停止するステップ、
を包含したことを特徴とする、拡張ディスプレイ認識データダウンロードのログイン登録授権方法。
【請求項２０】
請求項１６記載の拡張ディスプレイ認識データダウンロードのログイン登録授権方法において、更に、
（Ｊ）ネットワーク管理サーバーがクライアントの意見或いはクレームを受け取り並びにこれにより台帳システム中の点数を変更するステップ、
を包含したことを特徴とする、拡張ディスプレイ認識データダウンロードのログイン登録授権方法。
【発明の詳細な説明】
【技術分野】
【０００１】
本発明は一種のログイン登録授権システムに係り、特に拡張ディスプレイ認識データダウンロードのログイン登録授権システム及びその方法に関する。
【背景技術】
【０００２】
コンピュータテクノロジーの普及に伴い、プラグアンドプレイの機能はコンピュータ周辺機器に必要とされる機能となっている。ディスプレイでは、ＶＥＳＡ（Video Electronics Standard Association  ）が重大なディスプレイ及びディスプレイインタフェース標準の推進と開発を請け負い、その互換性を確保している。拡張ディスプレイ認識データ（ＥＤＩＤ）はＶＥＳＡがディスプレイのために制定した標準データ形式である。ＥＤＩＤはディスプレイの基本データ、例えば販売者情報、最大画像サイズ、色彩特徴、使用周波数制限等を包含する。該ＥＤＩＤシステムはディスプレイ中に記録されてコンピュータとコミュニケートするのに用いられ、プラグアンドプレイの機能を達成する。
【０００３】
過去十年ほど、図１に示されるように、ディスプレイメーカーは、複数の異なる型番のディスプレイに対応するＥＤＩＤを直接ハードディスク９３１等保存メディアに保存し並びにコンピュータ９３０と接続してコンピュータ構造９３を構成し、ＥＤＩＤ記録作業の主要構造とし、これにより信号線９４及びインタフェースアダプタ９５を通してそれぞれディスプレイ９１のＶＧＡインタフェース９１１、ＤＶＩインタフェース９１２、或いはＨＤＭＩインタフェース９１３に接続してＥＤＩＤを電気的消去不能のメモリ中に書き込む。すなわち、型番Ａ−４７ディスプレイに対して記録作業を行う必要がある時、Ａ−４７ディスプレイの記録ＥＤＩＤをハードディスク９３１に保存する時、メーカーの作業員は、バーコードスキャナ９２及びコンピュータ９３０によりハードディスク９３１内のＥＤＩＤを読み取り、ＶＧＡインタフェースを通してディスプレイ中に書き込む必要がある。
【発明の開示】
【発明が解決しようとする課題】
【０００４】
しかし、過去には、ＥＤＩＤのダウンロード、編集、及び記録はそのデータを直接保存メディアにロードするコンピュータ構造９３により実行され、それには非常に多くの欠点がある。例えば、（１）登録授権機能がない、（２）ＥＤＩＤを売り切り方式で販売し、ディスプレイメーカー（クライアント）から回数計算で請求料金を回収できない、（３）ＥＤＩＤは個別に存在し、その他のコンピュータと同期更新或いは共有が行えず、これにより使用上、理想的であるとは言えない。
【０００５】
ゆえに、本発明は、上述の問題を解決する拡張ディスプレイ認識データダウンロードのログイン登録授権システムを提供することを目的とする。
【課題を解決するための手段】
【０００６】
本発明は拡張ディスプレイ認識データダウンロードのログイン登録授権システムを提供し、それはメインシステムユニットとサブシステムユニットを包含し、該メインシステムユニットは複数のＥＤＩＤを保存しており並びにログイン登録を受け付け、該サブシステムユニットはメインシステムユニットと結合され、メインシステムユニットに対してログイン登録した後、サブシステムユニットとメインシステムユニット間のデータ伝送の過程に特定のアルゴリズムでデータを検証又は保密する状況下で、メインシステムユニットの検証授権を獲得し、並びにＥＤＩＤをダウンロードする。
【０００７】
本発明の拡張ディスプレイ認識データダウンロードのログイン登録授権システム中、サブシステムユニットは少なくとも一つのＥＤＩＤ記録器を包含し、それはメインシステムユニットにログイン登録される識別コードであって並びにメインシステムユニットとサブシステムユニットにそれぞれ保存される識別コードを有し、これによりメインシステムユニットによる検証授権を獲得でき、ＥＤＩＤをダウンロードできる。そのうち、該識別コードは好ましくはメインシステムユニットが乱数演算により生成するか、或いはクライアントが自分で選択するものとする。
【０００８】
本発明の拡張ディスプレイ認識データダウンロードのログイン登録授権システム中、メインシステムユニットはネットワーク管理サーバーを有し、このネットワーク管理サーバーは識別コードを保存し、且つネットワークで少なくとも一つのＥＤＩＤ記録器に接続され、該ネットワーク管理サーバーは少なくとも一つのＥＤＩＤ記録器より識別コードを獲得し、並びに検証授権を行う。上述のネットワークはインターネット、及び少なくとも一つのＥＤＩＤ管理サーバーを包含する。そのうち、該少なくとも一つのＥＤＩＤ管理サーバーはＥＤＩＤを包含し、且つＥＤＩＤアップロード／ダウンロードプログラムにより該少なくとも一つのＥＤＩＤ記録器より識別コードを取得し、インターネットを通してネットワーク管理サーバーにアップロードできる。
【０００９】
本発明の拡張ディスプレイ認識データダウンロードのログイン登録授権システム中、特定のアルゴリズムは、好ましくはメッセージダイジェストアルゴリズム、暗号化アルゴリズム、及び復号化アルゴリズムを包含するか、或いはその他の等価のアルゴリズムとされうる。
【００１０】
本発明の拡張ディスプレイ認識データダウンロードのログイン登録授権システム中、ネットワーク管理サーバーは更に第１機密データを具備する。
【００１１】
本発明の拡張ディスプレイ認識データダウンロードのログイン登録授権システム中、少なくとも一つのＥＤＩＤ記録器はネットワーク管理サーバーによる授権獲得後、該ネットワーク管理サーバーは識別コードと第１機密データをメッセージダイジェストアルゴリズムで演算して得られた第１メッセージダイジェストアルゴリズム結果を少なくとも一つのＥＤＩＤ管理サーバーに送る。
【００１２】
本発明の拡張ディスプレイ認識データダウンロードのログイン登録授権システム中、少なくとも一つのＥＤＩＤ管理サーバーと少なくとも一つのＥＤＩＤ記録器はそれぞれ第２機密データを具備する。
【００１３】
本発明の拡張ディスプレイ認識データダウンロードのログイン登録授権システム中、少なくとも一つのＥＤＩＤ管理サーバーはＥＤＩＤと第２機密データを暗号化アルゴリズムで演算して得られるＥＤＩＤ暗号化結果を第１メッセージダイジェストアルゴリズム結果と共に少なくとも一つのＥＤＩＤ記録器に送り、ＥＤＩＤダウンロードを実行する。
【００１４】
本発明の拡張ディスプレイ認識データダウンロードのログイン登録授権システム中、少なくとも一つのＥＤＩＤ記録器はまずＥＤＩＤ暗号化結果と第２機密データを、ＥＤＩＤ復号化アルゴリズムで復号し、これにより順調に記録作業が行えるようにする。
【００１５】
本発明の拡張ディスプレイ認識データダウンロードのログイン登録授権システム中、少なくとも一つのＥＤＩＤ記録器が記録作業を実行した後、計数データを生成し、それは記録作業の累計実行回数を表示する。
【００１６】
本発明の拡張ディスプレイ認識データダウンロードのログイン登録授権システム中、少なくとも一つのＥＤＩＤ記録器は計数データと第１メッセージダイジェストアルゴリズム結果をメッセージダイジェストアルゴリズムで演算して第２メッセージダイジェストアルゴリズム結果を得て、これによりネットワーク管理サーバーが少なくとも一つのＥＤＩＤ管理サーバーにより、ＥＤＩＤアップロード／ダウンロードプログラムでＥＤＩＤ記録器より識別コードと共に第２メッセージダイジェストアルゴリズム結果と計数データを取得し、並びに次の検証授権及び請求料金管理を行う。
【００１７】
本発明はまた拡張ディスプレイ認識データダウンロードのログイン登録授権方法を提供する。この方法は、（Ａ）ＥＤＩＤ管理サーバーがＥＤＩＤ記録器より識別コードを取得し、並びにインターネットを通して該ネットワーク管理サーバーに伝送して検証授権を行うステップ、（Ｂ）該ＥＤＩＤ記録器が該ネットワーク管理サーバーによる授権を獲得した後、該ネットワーク管理サーバーは該識別コードを第１機密データとメッセージダイジェストアルゴリズムにより演算して得られた第１メッセージダイジェストアルゴリズム結果を該ＥＤＩＤ管理サーバーに送るステップ、（Ｃ）該ＥＤＩＤ管理サーバーがＥＤＩＤと第２機密データを暗号化アルゴリズムで演算して得られたＥＤＩＤ暗号化結果を該第１メッセージダイジェストアルゴリズム結果と共に該ＥＤＩＤ記録器に送り、ＥＤＩＤのダウンロードを実行するステップ、（Ｄ）該ＥＤＩＤ記録器がＥＤＩＤ暗号化結果を第２機密データと共に復号化アルゴリズムで演算して得られたＥＤＩＤ復号化結果により、ディスプレイに対して記録作業を行うステップ、を包含する。
【００１８】
本発明の拡張ディスプレイ認識データダウンロードのログイン登録授権方法は更に、（Ｅ）該ＥＤＩＤ記録器が記録作業実行後に、記録作業累計実行回数を表示する計数データを生成するステップ、（Ｆ）該ネットワーク管理サーバーがＥＤＩＤ管理サーバーによりＥＤＩＤ記録器より識別コードと共に第２メッセージダイジェストアルゴリズム結果と計数データを取得し、次の検証授権と請求料金管理を行い、そのうち、上述の第２メッセージダイジェストアルゴリズム結果は該ＥＤＩＤ記録器が計数データと第１メッセージダイジェストアルゴリズム結果をメッセージダイジェストアルゴリズムで演算して得られるものとするステップ、を包含する。
【発明の効果】
【００１９】
本発明は拡張ディスプレイ認識データダウンロードのログイン登録授権システムを提供し、そのログイン登録授権機能下でＥＤＩＤダウンロードを行えるようにする。
【００２０】
本発明はまた、検証過程により本ログイン登録授権システム及びデータの保護を行い、則ち、ＥＤＩＤ記録器内のクライアントの識別コード、消費システムデータの保護を行うために、ダウンロードＥＤＩＤデータ暗号化処理或いはアップロードデータの検証処理を行う。
【発明を実施するための最良の形態】
【００２１】
図２は本発明の拡張ディスプレイ認識データダウンロードのログイン登録授権システムのブロック図である。図２より明らかに分かるように、本発明の拡張ディスプレイ認識データダウンロードのログイン登録授権システム１００は、サブシステムユニット２とメインシステムユニット１を包含する。
【００２２】
サブシステムユニット２はメインシステムユニット１と結合され、メインシステムユニット１に対してログイン登録後、且つサブシステムユニット２とメインシステムユニット１の間のデータ伝送の過程で特定のアルゴリズムでデータが検証又は保密される状況の下で、メインシステムユニット１の検証授権を獲得し並びにＥＤＩＤダウンロードを実行する。本実施例では、特定のアルゴリズムは、メッセージダイジェストアルゴリズム、暗号化アルゴリズム、及び復号化アルゴリズムを包含する。そのうち、メッセージダイジェストアルゴリズム（Ｍｅｓｓａｇｅ−Ｄｉｇｅｓｔ  ａｌｇｏｒｉｔｈｍ  ５）は一種の単方向メッセージダイジェストアルゴリズムであり、則ち逆方向演算でオリジナルデータを得るのが難しいアルゴリズムであり、クライアントの識別コードが合法であるか否かを検査するのに用いられ、暗号化アルゴリズムは一種の対称暗号化アルゴリズム（Ｓｙｍｍｅｔｒｉｃ  ａｌｇｏｒｉｔｈｍｓ）であり、データを暗号化し保護するのに用いられる。このほか、サブシステムユニット２はＥＤＩＤ記録器２１とされ、それは第２機密データＳ２と計数データＣを具え、且つメインシステムユニット１に識別コードＩＤｉをログイン登録でき、並びにＥＤＩＤ記録器２１とメインシステムユニット１にそれぞれ保存し、これによりメインシステムユニット１の検証授権を獲得するのに用いられ、ＥＤＩＤをダウンロードする。注意すべきことは、上述の識別コードＩＤｉはメインシステムユニットが乱数演算により生成するか或いはクライアントが自分で選択し、いずれも唯一のものとされる。ゆえに本発明の拡張ディスプレイ認識データダウンロードのログイン登録授権システム１００は重複使用される識別コードを検出でき、並びに該識別コードを即刻削除してＥＤＩＤダウンロードの権利を停止することができる。
【００２３】
メインシステムユニット１はネットワーク管理サーバー１１を包含し、それはクライアント情報網制御プログラムＮＳを実行し、且つ第１機密データＳ１を具え、及び、上述の識別コードＩＤｉを保存し、ネットワーク１２でＥＤＩＤ記録器２１に接続される。本実施例では、ネットワーク１２はインターネット１２１と、ＥＤＩＤ管理サーバー１２２を包含し、該ＥＤＩＤ管理サーバー１２２はＥＤＩＤと第２機密データＳ２を包含し、且つＥＤＩＤアップロード／ダウンロードプログラムＣＳを利用して、ＥＤＩＤ記録器２１より識別コードＩＤｉを取得し、さらにインターネット１２１を通してネットワーク管理サーバー１１にアップロードして検証授権を実行する（図３参照）。
【００２４】
ＥＤＩＤ記録器２１がネットワーク管理サーバー１１より授権獲得後、該ネットワーク管理サーバー１１は識別コードＩＤｉと第１機密データＳ１をメッセージダイジェストアルゴリズムで演算して得られる第１メッセージダイジェストアルゴリズム結果ＭＤ５１をＥＤＩＤ管理サーバー１２２に伝送する。
【００２５】
続いて（図４参照）、ＥＤＩＤ管理サーバー１２２はＥＤＩＤと第２機密データＳ２を暗号化アルゴリズムで演算して得られるＥＤＩＤ暗号化結果ＲＣ２ｅを第１メッセージダイジェストアルゴリズム結果ＭＤ５１と共にＥＤＩＤ記録器２１に伝送し、ＥＤＩＤダウンロードを実行する。
【００２６】
ダウンロード完成後（図５参照）、ＥＤＩＤ記録器２１はＥＤＩＤ管理サーバー１２２と接続不要で直接ディスプレイ２００に対して記録作業を行えるが、ＥＤＩＤ記録器２１は記録作業実行時に、尚もＥＤＩＤ暗号化結果ＲＣ２ｅと第２機密データＳ２を復号化アルゴリズムにより演算してＥＤＩＤ復号化結果ＲＣ２ｄを得なければ、順調に記録作業を行えない。注意すべきことは以下のとおりである（図６参照）。ＥＤＩＤ記録器２１が記録作業実行後に、記録作業累計実行回数を表示する計数データＣを生成し、これにより後日、ネットワーク管理サーバー１１がＥＤＩＤ管理サーバー１２２によりＥＤＩＤアップロード／ダウンロードプログラムＣＳによりＥＤＩＤ記録器２１より識別コードＩＤｉと共に第２メッセージダイジェストアルゴリズム結果ＭＤ５２と計数データＣを取得して、次の検証授権及び請求料金管理を行う。上述の第２メッセージダイジェストアルゴリズム結果ＭＤ５２はＥＤＩＤ記録器２１により計数データＣと第１メッセージダイジェストアルゴリズム結果ＭＤ５１をメッセージダイジェストアルゴリズムにより演算して得られる。このほか、記録作業累計実行回数を表示する計数データＣは本拡張ディスプレイ認識データダウンロードのログイン登録授権システム１００がＥＤＩＤ記録器２１の記録回数を追跡し、並びに計数データＣを遠方より制御し、則ち総回数計算後に、クライアントに対してシステムサービス及び維持費用を回収することができる。
【００２７】
このほか、注意すべきことは以下のとおりである。本実施例はネットワーク管理サーバー１１がＥＤＩＤ管理サーバー１２２によりＥＤＩＤアップロード／ダウンロードプログラムＣＳで、ＥＤＩＤ記録器２１より識別コードＩＤｉ、第２メッセージダイジェストアルゴリズム結果ＭＤ５２及び計数データＣを取得して、次の検証授権及び請求料金管理を行い、もしオンラインが失敗するか或いは検証が失敗した場合は、ＥＤＩＤアップロード／ダウンロードプログラムＣＳは運転不能となり、則ちクライアントはＥＤＩＤをダウンロードできなくなる。
【００２８】
以上から分かるように、本発明は一種の拡張ディスプレイ認識データダウンロードのログイン登録授権システム１００を提供し、そのログイン登録授権機能により、ＥＤＩＤダウンロードを実行し、並びにそのＥＤＩＤ管理サーバー１２２で遠方よりＥＤＩＤを制御処理し、且つＥＤＩＤを売り切り方式とすることなく、クライアントに対して記録回数を計算して料金請求し、使用者の料金回収の合理的メカニズムを実現する。且つ本発明は検証過程を以て本システム及びデータの保護を行い、ＥＤＩＤ記録器内のクライアントの識別コード、消費システムデータを保護し、それは、ダウンロードＥＤＩＤデータ暗号化処理或いはアップデータの検証処理を包含する。
【００２９】
このほか、本発明のネットワーク管理サーバー１１は更に、新規クライアントサービス、料金請求及び台帳番号付加価値サービス、ソフトウエア使用状況及びレポートサービス、及びクライアント意見或いはクレーム処理サービスを提供し得る。図７に示されるのは、ネットワーク管理サーバー１１が提供する新規クライアントサービスのフローチャートである。そのうち、システム管理者及び台帳システムはネットワーク管理サーバー１１中に包含され、クライアントはＥＤＩＤ管理サーバー１２２を指し、新規クライアントは市場チャネル例えばネットワーク、ファクシミリ等の会員加入方式により、システム管理者に通知し、システム管理者は新クライアントを台帳システムに登録し、並びに通知メールを発送してクライアントにダウンロードソフトを提供し、且つ宅急便（登録商標）で貨物のＥＤＩＤ記録器をクライアントに送る。
【００３０】
図８はネットワーク管理サーバー１１が提供する料金請求及び台帳番号付加価値サービスのフローチャートである。そのうち、システム管理者及び帳簿システムは、ネットワーク管理サーバー１１中に包含され、クライアントはＥＤＩＤ管理サーバー１２２を指し、クライアントはネットワークを利用して口座振替、クレジットカード或いは郵便振替等の支払い方式を利用し、システム授権（使用）費用を銀行管理者に支払い、銀行管理者は更に対応する明細をシステム管理者に通知する。システム管理者は通知を受け取った後、帳簿システム中にこのクライアントの使用可能点数を増加し、並びに通知メールを発送してクライアントに告知する。
【００３１】
図９はネットワーク管理サーバー１１が提供するソフトウエア使用状況及びレポートサービスのフローチャートである。そのうち、システム管理者及び台帳システムは、ネットワーク管理サーバー１１中に包含される。クライアントはＥＤＩＤ管理サーバー１２２を指し、クライアントはソフトウエアを使用してＥＤＩＤ記録器でディスプレイに対してＥＤＩＤを記録した後、状況をネットワーク管理サーバー１１の台帳システムにレポートし、台帳システムにクライアントの点数を調整させ、台帳システム中の点数が零になった時、ＥＤＩＤ記録器に使用停止情報コードを送り、このＥＤＩＤ記録器の使用を停止する。
【００３２】
図１０はネットワーク管理サーバー１１の提供するクライアント意見或いはクレーム処理サービスのフローチャートである。そのうち、システム管理者及び台帳システムはネットワーク管理サーバー１１中に包含される。クライアントはＥＤＩＤ管理サーバー１２２を指し、クライアントは意見或いはクレームをシステム管理者に提供し、システム管理者はこれにより台帳システム中の点数を更新し、台帳システムは並びに処理状況通知メールをクライアントに送り処理状況を告知する。
【００３３】
上述の実施例は説明の為に提示されたものに過ぎず、本発明の主張する権利範囲は特許請求の範囲の記載に準じ、本発明に基づきなしうる同等の修飾或いは変更は、いずれも本発明の請求の範囲に属するものとする。
【図面の簡単な説明】
【００３４】
【図１】周知のシステム表示図である。
【図２】本発明の好ましい実施例の拡張ディスプレイ認識データダウンロードのログイン登録授権システムのブロック図である。
【図３】本発明の好ましい実施例の拡張ディスプレイ認識データダウンロードのログイン登録授権表示図である。
【図４】本発明の好ましい実施例の拡張ディスプレイ認識データダウンロードのログイン登録授権表示図である。
【図５】本発明の好ましい実施例の拡張ディスプレイ認識データダウンロードのログイン登録授権表示図である。
【図６】本発明の好ましい実施例の拡張ディスプレイ認識データダウンロードのログイン登録授権表示図である。
【図７】本発明中、ネットワーク管理サーバーが提供する新規クライアントサービスのフローチャートである。
【図８】本発明中、ネットワーク管理サーバーが提供する料金請求及び台帳番号付加価値サービスのフローチャートである。
【図９】本発明中、ネットワーク管理サーバーが提供するソフトウエア使用状況及びレポートサービスのフローチャートである。
【図１０】本発明中、ネットワーク管理サーバーが提供するクライアント意見或いはクレーム処理サービスのフローチャートである。
【符号の説明】
【００３５】
１００  拡張ディスプレイ認識データダウンロードのログイン登録授権システム
１  メインシステムユニット              １２  ネットワーク
２  サブシステムユニット                １２１  インターネット
１１  ネットワーク管理サーバー          １２２  ＥＤＩＤ管理サーバー
２１  ＥＤＩＤ記録器    ＣＳ  ＥＤＩＤアップロード／ダウンロードプログラム
Ｓ１  第１機密データ    ＭＤ５１  第１メッセージダイジェストアルゴリズム結果
Ｓ２  第２機密データ    ＭＤ５２  第２メッセージダイジェストアルゴリズム結果
Ｃ  計数データ          ＲＣ２ｅ  暗号化結果
ＩＤｉ  識別コード      ＲＣ２ｄ  復号化結果
９２  バーコードスキャナ          ９３  コンピュータ構造
９１  ディスプレイ                ９３０  コンピュータ
９１１  ＶＧＡインタフェース      ９３１  ハードディスク
９１２  ＤＶＩインタフェース      ９４  信号線
９１３  ＨＤＭＩインタフェース    ９５  インタフェースアダプタ
ＮＳ  クライアント情報網制御プログラム
【図１】
2008305369.tif 000003
【図２】
2008305369.tif 000004
【図３】
2008305369.tif 000005
【図４】
2008305369.tif 000006
【図５】
2008305369.tif 000007
【図６】
2008305369.tif 000008
【図７】
2008305369.tif 000009
【図８】
2008305369.tif 000010
【図９】
2008305369.tif 000011
【図１０】
2008305369.tif 000012